(57)【特許請求の範囲】
【請求項１】
施設ハウスの骨組み１に、骨組みの長さに沿って一定の間隔で軸取付部が施設ハウスの長さ方向に並んで設けられ、一端又は中間部に電動回転機Ｍが取り付けられて強制的に正逆回転する回転軸２と、
回転軸２から回転軸の長さ方向に沿って一定の間隔で配置され、配置部において、一端は回転軸に固定されて回転軸の回転方向に沿って回転軸の外面に巻かれたり解かれたりされ、他端は施設ハウスの骨組み１に固定されて中間部が下方に懸架される懸架用の紐３と、  施設ハウス内に配置される栽培箱４と、
栽培箱４と懸架用の紐３とが結合できるように、中央部に滑車収容部６ａが形成され、収容部６ａ内で滑車６ｅが軸棒６ｆに支持されて回転するように設けられ、滑車６ｅの外周に懸架用の紐３の下端が結合した支持体６と、支持体６の底面に取り付けられたＵ型リング６０と、Ｕ型リングの両側の支持溝６０ｃ、６０ｄに上端連結部５ａが連結され、下端部に連結リング５ｂが形成されて、栽培箱４の上端支持部４ａに接続される掛けリング５を具備する又は、上記支持体６と、上記Ｕ型リング６０と、上記掛けリング５に加えて、さらに掛けリング５の下端連結リング５ｂに結合される連結管体５０と、連結管体５０の両端連結孔に栽培箱４を囲む支持リング５１を具備する栽培箱支持具と、
回転軸２の一側あるいは両端部に取り付けられ、回転軸２と共に回転する連結管７と、
連結管７の外面に取り付けられる鋸歯状の歯車７ａと、鋸歯状の歯車７ａの両側に設けられて、一定の間隔を維持するように間隔保持具８ｂによって支持される支持板８、８ａと、前方の支持板８の上部の外周縁に、外周縁に沿って一定の間隔で形成される締結孔８ｃと、締結孔８ｃに取り付けられるように雄ネジ孔８ｆが形成された付着板８ｄと、付着板８ｄの両端部に取り付けられて施設ハウスの骨組み１に締結されるＵボルト８ｅと、
鋸歯状の歯車７ａが取り付けられた位置から下向した位置に設けられる軸棒９と、
軸棒９に中心孔が嵌め込まれ、一側の上端に鋸歯状突起１０ａが形成され、他側に曲面接触部１０ｂが形成され、下端部に鋸歯状の突部１０ｃが形成され、鋸歯状の突部１０ｃの傾斜面に、バネ１０ｄに弾発される摩擦ボール１０ｅが接触されるストッパー１０と、
軸棒９の先端部にクランク突起１１を取り付け、クランク突起１１の下側突部１１ａに連結突起１１ｂを形成し、連結突起１１ｂの内側端が前方の支持板８の案内孔８ｇを通じてストッパー１０の連結孔に連結されるストッパー作動具と、
連結管７の先端部の外周から回転軸２の方向に突き出るように支持軸棒１２が形成され、前記支持軸棒１２に内側連結部１３ａが回転自在に接続され、他端に固定部１３ｂが形成されて軸受１３ｃが締結具１３ｄにより締結される重量体１３と、で構成され、回転軸の無断回転を防止できるようにした安全装置を備えた施設ハウス用の高設栽培装置。
【発明の詳細な説明】
【技術分野】
【０００１】
本発明は、ビニールハウスをはじめ、ガラス温室のような施設ハウス内で懸架用の紐に吊り下がって懸架されるように栽培箱を設け、栽培箱の位置を上下に調整可能にした施設ハウス用の高設栽培装置に関し、より具体的には、施設ハウスの骨組みに一定の間隔で取り付けられた軸取付部に設けられ、施設ハウスの長さ方向に取り付けられ、一端又は中間部に電動回転機が取り付けられ、電動回転機の駆動によって正逆回転する回転軸と、回転軸から長さ方向に一定の間隔で配置され、一端が回転軸に固定され、回転軸の回転方向に沿って回転軸に巻かれたり解かれたり、他端は施設ハウスの骨組みに取り付けられて中間部が懸架される懸架用の紐と、施設ハウス内に配置される栽培箱と、栽培箱に結合して栽培箱を懸架用の紐に結合させ、上端に滑車が取り付けられた栽培箱の支持リングと、回転軸の一端又は両端に取り付けられ、回転軸の無断回転を防止する安全装置と、が備えられ、栽培箱の位置を施設ハウスの内部で上下に強制に移動させて、必要な位置で停止させることができるようにすることを特徴とする高設栽培装置に関する。
【背景技術】
【０００２】
従来の施設ハウス用の高設栽培装置は、施設ハウスの内部に取り付けた回転軸に固定ロープの上端を固定し、固定ロープの下端に直接に栽培容器を取り付け、固定ロープを回転軸に巻いて栽培容器を上昇させ、回転軸に巻かれた固定ロープを解いて降ろし、栽培箱が下降されるようにし、栽培容器を昇降させている。
【０００３】
しかし、従来の方法は、栽培容器が固定ロープの下端に直接に吊り下がって支持されるため、栽培箱を回転軸の方向に整列させることが難しく、回転フレームの自動回転装置に故障が発生し、回転抑制力が解除されれば栽培容器の重量により固定ロープが回転軸から無断で解かれ、栽培容器が地面に落ちて破損されてしまうことが発生するような不便があった。
【発明の概要】
【発明が解決しようとする課題】
【０００４】
本発明は、上記の不便を解消できるようにするために開発されたものである。
【課題を解決するための手段】
【０００５】
本発明は、施設ハウスの骨組みに、骨組みの長さに沿って一定の間隔で軸取付部が施設ハウスの長さ方向に並んで設けられ、一端又は中間部に電動回転機が取り付けられ、強制的に正逆回転する回転軸と、回転軸から回転軸の長さ方向に沿って一定の間隔で配置され、配置部において、一端は回転軸に固定され、回転軸の回転方向に沿って回転軸の外面に巻かれたり解かれたり、他端は施設ハウスの骨組みに固定されて中間部が下方に懸架される懸架用の紐と、施設ハウス内に配置される栽培箱と、栽培箱と懸架用の紐とを結合させることができるように、支持体の中央部に滑車収容部が形成され、滑車が軸棒に支持されて設けられ、滑車の外周に懸架用の紐の下端が結合し、支持体の底面にＵ型リングが取り付けられ、Ｕ型リングの両側の支持溝に上端連結部が連結され、下端部に連結リングが形成された掛けリングが具備される栽培箱支持具と、回転軸の一側あるいは両側の端部に取り付けられて回転軸と共に回転する連結管と、連結管の外面に取り付けられる鋸歯状の歯車と、鋸歯状の歯車の両側方に設けられて一定の間隔を維持するように間隔保持具によって支持される支持板と、支持板の前方の支持板の上部の外周縁に、外周縁に沿って一定の間隔で形成される締結孔と、締結孔に取り付けられるように雌ネジ孔が形成された付着板がボルトによって取り付けられ、両端部にＵボルトが取り付けられて施設ハウスの骨組みに締結される付着板と、鋸歯状の歯車が取り付けられた位置で、支持板下側の間に設けられた軸棒に中心孔が嵌め込まれ、一側の上端に鋸歯状突起が形成され、他側に曲面接触部が形成され、下端部に鋸歯状の突部が形成され、鋸歯状の突部の傾斜面に、バネに弾発される摩擦ボールが接触されるストッパーと、軸棒の先端部にクランク突起を取り付け、クランク突起の下側突部に連結突起を形成し、連結突起の内側端が前方の支持板の案内孔を通じてストッパーに連結されるストッパー作動具と、連結管の先端部の外周から回転軸の方向に突き出るように支持軸棒が形成され、前記支持軸棒に内側連結部が回転自在に接続され、他端に固定部が形成されて軸受が締結具により締結される重量体と、で構成され、回転軸の無断回転を防止できるような安全装置を備えた構成である。
【発明の効果】
【０００６】
このような本発明は、回転軸を回転させる電動装置が正逆回転する電動装置からなっており、電動装置を駆動させて回転軸に懸架用の紐が巻かれる方向に回転させ、懸架用の紐の一端を回転軸に巻けば懸架用の紐の下端が上昇して栽培箱の位置を上に上昇させることができ、逆に回転させて回転軸に巻かれている懸架用の紐の一端が解けるようにすれば、懸架用の紐の下端が下降して栽培箱を下降させることができるようになる。この際、回転軸の回転速度は栽培箱に衝撃が加えられないように低速で回転させるため、回転軸に取り付けられた安全装置の重量体も遠心力を受けていない状態で被動し、クランク突起の外面を通り過ぎるようになるため、安全装置のクランク突起が重量体と接触しても可変動作が起こらないようになるが、回転軸の駆動装置に故障が発生して回転軸の抑止力が解除されれば、回転軸に巻かれている懸架用の紐が栽培箱の重量で被動される状態が発生し、回転軸から解かれるようになり、これによって回転軸が急速に回転するため、回転軸に取り付けられた安全装置の重量体が高速回転するようになり、遠心力が作用して重量体の移動線上にあるクランク突起の上端を殴って、重量体の回転方向に傾き、反対側に形成された下側突部１１ａが重量体の回転方向の反対方向に回転し、連結突起１１ｂがストッパー１０の鋸歯状突起１０ａを上向かせ、連結管７に付着された鋸歯状の歯車７ａに接触するようになり、摩擦ボールがストッパーの復帰を防止する側に接触するようになり、その状態が維持されて回転軸２の回転が直ぐ制動されるようになるので、懸架用の紐が自ら解けることを防止するようになる。即ち、栽培箱の無断下落を中断させ、落下による事故を防止するようになる。
【０００７】
回転軸の故障が解消され、回転軸を正常回転で回転させることができるようになれば、回転軸を反対に回して、連結管の鋸歯状の歯車に接触されたストッパーの鋸歯状突起を押し退け、ストッパーが元の位置に戻って鋸歯状の歯車とストッパーが離間され、摩擦ボールがストッパーの鋸歯状の歯車から分離された状態を維持する側に接触するようにすることで、回転軸を懸架用の紐が巻かれる方向に低速回転させたり、解かれる方向に低速回転させたりして、栽培箱の高低を意図的に調整できるようになる。
【０００８】
また、本発明の安全装置は、前方の支持板の上端部に取り付けられる付着板が多数の締結孔に選択されて支持板に付着される角度を選択できるため、施設ハウスの骨格の両側方に配置される場合、クランクの直立状態が維持されるように安全装置を付着することができるようになり、これによって安全装置の誤動作を防止することができるようになる利点が得られる。
【０００９】
さらに、施設ハウス内に設けられる栽培箱の両側の上端部に栽培箱支持具の掛けリングの下端の連結リングを結合したり、栽培箱の形状のように作られて栽培箱を拘束する支持リングを被せ、支持リングの両側の連結リングを支持体の掛けリングの下端に結合された連結管体の連結孔に結合したりすることで、栽培箱の上端を栽培箱支持具の支持体に安全に結合させることができるようになり、この状態で支持体の上端の中央部に取り付けられた滑車に懸架用の紐の下端の結合部を結合させ、栽培箱と懸架用の紐とを結合させることができ、この状態で懸架用の紐を巻いたり解いたりする際に、滑車が回転して懸架用の紐の昇降を案内するので、懸架用の紐の長さが可変しても懸架用の紐の下端は中心が維持されて栽培箱を安定的に昇降させることができるようになり、栽培箱の昇降を安定的に管理できる利点が得られると共に、滑車と支持体のＵ型リング、掛けリング、及び支持リングは組み立て式になっているため、摩損時に部分的な交換が可能なので、経済的に有用に使用できるという利点が得られ、懸架用の紐の下端が滑車と結合し、懸架用の紐が下降する際に摩擦力を減少させるので、懸架用の紐の寿命も長く維持することができる利点がある。
【図面の簡単な説明】
【００１０】
【図１】本発明の栽培装置の一例を示す斜視図である。
【図２】図１の側面の例示図である。
【図３】本発明の安全装置の斜視図である。
【図４】図３の正面図である。
【図５】図３の内部のギヤ部分の構成図である。
【図６】図５の作動状態の例示図である。
【図７】図４のＢ−Ｂ´線の断面図である。
【図８】安全装置付着板の作動の例示図である。
【図９】栽培箱支持具の例示図である。
【図１０】図９の分解斜視図である。
【図１１】図９の断面例示図である。
【図１２】本発明の栽培箱支持具の他の実施形態の例示図である。
【図１３】図１２の分解斜視図である。
【図１４】図１３の組立状態の断面図である。
【図１５】図１２の使用状態の例示図である。
【図１６】安全装置を回転軸の両端に配置し、電動回転機を回転軸の中央部に配置した例示図である。
【発明を実施するための形態】
【００１１】
本発明は、施設ハウスの骨組み１に、骨組みの長さに沿って一定の間隔で軸取付部が施設ハウスの長さ方向に並んで設けられ、一端又は中間部に電動回転機Ｍが取り付けられて強制的に正逆回転する回転軸２と、回転軸２から回転軸の長さ方向に沿って一定の間隔で配置され、配置部において、一端は回転軸に固定されて回転軸の回転方向に沿って回転軸の外面に巻かれたり解かれたり、他端は施設ハウスの骨組みに固定されて中間部が下方に懸架される懸架用の紐３と、施設ハウス内に配置される栽培箱４と、栽培箱と懸架用の紐とが結合できるように、支持体６の中央部に滑車収容部６ａが形成され、滑車６ｅが収容部内で軸棒６ｆに支持されて回転するように設けられ、滑車の外周に懸架用の紐３の下端が結合し、支持体の底面にＵ型リング６０が取り付けられ、Ｕ型リングの両側の支持溝６０ｃ、６０ｄに上端連結部５ａが連結され、下端部に連結リング５ｂが形成されて、栽培箱４の上端支持部４ａに接続される掛けリング５を具備し、又は、掛けリング５の下端連結リング５ｂに連結管体５０が結合され、連結管体の両端連結孔に栽培箱を囲む支持リング５１を具備する栽培箱支持具と、回転軸２の一側あるいは両端部に取り付けられ、回転軸と共に回転する連結管７と、連結管の外面に取り付けられる鋸歯状の歯車７ａと、鋸歯状の歯車の両側に設けられて、一定の間隔を維持するように間隔保持具８ｂによって支持される支持板８、８ａと、前方の支持板８の上部の外周縁に、外周縁に沿って一定の間隔で形成される締結孔８ｃと、締結孔に取り付けられるように雄ネジ孔８ｆが形成された付着板８ｄと、付着板の両端部に取り付けられて施設ハウスの骨組み１に締結されるＵボルト８ｅと、鋸歯状の歯車が取り付けられた位置から下向した位置に設けられる軸棒９と、軸棒９に中心孔が嵌め込まれ、一側の上端に鋸歯状突起１０ａが形成され、他側に曲面接触部１０ｂが形成され、下端部に鋸歯状の突部１０ｃが形成され、鋸歯状の突部の傾斜面に、バネ１０ｄに弾発される摩擦ボール１０ｅが接触されるストッパー１０と、軸棒９の先端部にクランク突起１１を取り付け、クランク突起の下側突部１１ａに連結突起１１ｂを形成し、連結突起１１ｂの内側端が前方の支持板８の案内孔８ｇを通じてストッパー１０の連結孔に連結されるストッパー作動具と、連結管７の先端部の外周から回転軸の方向に突き出るように支持軸棒１２が形成され、前記支持軸棒に内側連結部１３ａが回転自在に接続され、他端に固定部１３ｂが形成されて軸受１３ｃが締結具１３ｄにより締結される重量体１３と、で構成され、回転軸の無断回転を防止できるようにした安全装置を備えた構成である。
【符号の説明】
【００１２】
１：施設ハウスの骨組み
２：回転軸
３：懸架用の紐
４：栽培箱
４ａ：上端支持部
５：掛けリング
５ａ：上端連結部
５ｂ：連結リング
５０：連結管体
５１：支持リング
６：支持体
６ａ：滑車収容部
６ｅ：滑車
６ｆ：軸棒
６０：Ｕ型リング
６０ｃ、６０ｄ：支持溝
７：連結管
７ａ：鋸歯状歯車
８、８ａ：支持管
８ｂ：間隔保持具
８ｃ：締結孔
８ｄ：付着板
８ｅ：Ｕボルト
８ｆ：雄ネジ孔
８ｇ：案内孔
９：軸棒
１０：ストッパー
１０ａ：鋸歯状突起
１０ｂ：曲面接触部
１０ｃ：鋸歯状突部
１０ｄ：バネ
１０ｅ：摩擦ボール
１１：クランク突起
１１ａ：下側突部
１１ｂ：連結突起
１２：支持軸棒
１３：重量体
１３ａ：内側連結部
１３ｂ：固定部
１３ｃ：軸受
１３ｄ：締結具
イ：安全装置
【要約】      （修正有）【課題】上下位置に移動調整可能に懸架された栽培容器を整列させるとともに栽培容器が地面に落ちてしまうのを防ぐ施設ハウス用の高設栽培装置を提供する。【解決手段】施設ハウスの骨組み１に一定の間隔で取り付けられ一端又は中間部に正逆回転する電動回転機Ｍと、一端が回転軸２に固定され他端は施設ハウスの骨組み１に取り付けられて回転軸２の回転方向に沿って回転軸２に巻かれたり解かれたり懸架用の紐３と、栽培箱４に結合して栽培箱４を懸架用の紐３に結合させ上端に滑車が取り付けられた栽培箱４の支持リングと、回転軸２の一端又は両端に取り付けられ回転軸２の無断回転を防止する安全装置イとが備えられた施設ハウス用の高設栽培装置。【選択図】図１【図１】
0005919416.tif 000002
【図２】
0005919416.tif 000003
【図３】
0005919416.tif 000004
【図４】
0005919416.tif 000005
【図５】
0005919416.tif 000006
【図６】
0005919416.tif 000007
【図７】
0005919416.tif 000008
【図８】
0005919416.tif 000009
【図９】
0005919416.tif 000010
【図１０】
0005919416.tif 000011
【図１１】
0005919416.tif 000012
【図１２】
0005919416.tif 000013
【図１３】
0005919416.tif 000014
【図１４】
0005919416.tif 000015
【図１５】
0005919416.tif 000016
【図１６】
0005919416.tif 000017